(57)【要約】      （修正有）【課題】インターネットサイトを介してまかないの詳細情報が容易に得られるようにすることにより、求人側にとっても求職側にとっても魅力的な求人求職システムを提供する。【解決手段】求人求職システムであって、まかない詳細情報を検索項目別に入力可能な求人端末２０と、検索項目に検索条件としてのまかない詳細情報を入力し表示して検索可能な求職端末１０と、求人端末２０から入力されたまかない詳細情報を保存し且つ求職端末１０からの検索条件に合致したまかない詳細情報を選択して求職端末１０へ出力する求人求職サーバ３０とを備える。【選択図】図１
2020134991.tif 000002
【特許請求の範囲】
【請求項１】
まかない詳細情報（５３）を検索項目別に入力可能な求人端末（２０）と、
前記検索項目に検索条件としてのまかない詳細情報（５３）を入力し表示して検索可能な求職端末（１０）と、
前記求人端末（２０）から入力されたまかない詳細情報（５３）を保存し且つ前記求職端末（１０）からの検索条件に合致したまかない詳細情報（５３）を選択して前記求職端末（１０）へ出力する求人求職サーバ（３０）を備え、
前記求人求職サーバ（３０）が、前記求職端末（１０）へ出力する情報として、前記まかない詳細情報（５３）及び勤務態様を含む基本情報（５１、５２、５４〜５８）を閲覧可能に出力し保存可能である求人求職システムにおいて、
前記まかない詳細情報（５３）が、少なくともまかないの費用、種類、写真を含むものであることを特徴とする求人求職システム。
【請求項２】
前記まかない情報（５３）を検索項目に選択可能な複数個の選択肢として求職端末（１０）に表示する請求項１に記載のシステム。
【請求項３】
前記まかない情報（５３）を検索項目に入力する都度に該当する件数を表示可能に構成した請求項１又は２に記載のシステム。
【請求項４】
前記求職端末（１０）に応募情報と共に求人情報の保存欄、メールによる応募欄又は応募用電話番号欄を表示してなる請求項１〜４のいずれかに記載のシステム。
【請求項５】
前記求職端末（１０）に、最近見た求人の欄又は保存した求人の欄を選択可能に表示し、選択により出力可能に設けてなる請求項１〜４のいずれかに記載のシステム。
【発明の詳細な説明】
【技術分野】
【０００１】
本発明は、雇用主の飲食店が従業員に提供する食事であるまかないを重視した求人求職システムに関する。
【背景技術】
【０００２】
昨今、求人側では、人手不足のためにアルバイト求職者が集めにくくなっているといわれている。そのため、求人を増やすために時給を上げるなど様々な努力をしている。
【０００３】
他方、求職側では、特に学生アルバイト求職者は自由に使える所持金が少ない人が多い。高い時給は魅力的であるが、食欲旺盛な若者にとって食費負担も大きいものがある。
【０００４】
このような状況下、求職者にとって、勤務先で無料又は安価にまかないを提供してもらえれば、アルバイト代収入が得られると共に食費の出費も減らせるので一挙両得である。あるアンケートによると、飲食店にアルバイトを希望する求職者の６割がまかないを重視して勤務先を決めている、ということである。
【０００５】
そのような観点で、現在の飲食店の求人サイト（例えば、下記非特許文献１〜３）を見ると、まかないの提供が「あり」「なし」の項目があることはあるが、それが有料なのか無料なのか、どのような食事内容なのかというような詳細な情報は提供されていない。
【０００６】
まかない「あり」と聞いて勤務を始めてみたら、意に反して有料又は高額であったり内容が貧弱であったりして、期待外れのためにがっかりしてすぐに仕事を辞める人もいるかもしれない。そうなれば求職側にとっても求人側にとっても大きなロスである。
【先行技術文献】
【非特許文献】
【０００７】
【非特許文献１】https://sftworks.jp/p/makanai
【非特許文献２】https://www.baitoru.com/lp/mrt13/?media=ad_listing&DAL=quecgZookcrD&DCT=1&_adp_c=wk&_adp_e=c&_adp_u=p&_adp_p_md=3575&_adp_p_cp=41744&_adp_p_agr=8212008&_adp_p_kw=25298206&gclid=EAIaIQobChMImYjHwNye4AIVVamWCh27WAfKEAAYASAAEgLoQ_D_BwE
【非特許文献３】https://j-sen.jp/kanto/keyword_%E3%81%BE%E3%81%8B%E3%81%AA%E3%81%84+%E7%84%A1%E6%96%99.htm
【発明の概要】
【発明が解決しようとする課題】
【０００８】
本発明は、上記のような事情に鑑みて、インターネットサイトを介してまかないの詳細情報が容易に得られるようにすることにより、求人側にとっても求職側にとっても魅力的な求人求職システムを提供することを目的とする。
【課題を解決するための手段】
【０００９】
本発明は求人求職システムであって、まかない詳細情報を検索項目別に入力可能な求人端末２０と、前記検索項目に検索条件としてのまかない詳細情報を入力し表示して検索可能な求職端末１０と、前記求人端末２０から入力されたまかない詳細情報を保存し且つ前記求職端末１０からの検索条件に合致したまかない詳細情報を選択して前記求職端末１０へ出力する求人求職サーバ３０とを備え、前記求人求職サーバ３０が、前記求職端末１０へ出力する情報として、まかない詳細情報及び勤務態様を含む基本情報を閲覧可能に出力し保存可能であるものにおいて、前記まかない詳細情報として少なくともまかないの費用、種類、写真を含むことを特徴とする。
【００１０】
勤務態様を含む基本情報とは、勤務場所、給与、勤務形態、勤務時間、休日・休暇、待遇、等の何れか一以上からなる。これらの情報は、選択可能な複数個の選択肢として表示される。
【００１１】
好ましくは、まかない詳細情報を検索項目に入力する都度に該当する件数を表示可能に構成する。
【００１２】
好ましくは、求職端末１０に応募情報と共に求人情報の保存欄、メールによる応募欄又は応募用電話番号欄を表示している。
【００１３】
また、好ましくは、求職端末１０に最近見た求人の欄又は保存した求人の欄を選択可能に表示し、選択により出力可能に設けている。
【発明の効果】
【００１４】
求職者は求職端末１０に表示された選択欄５０の選択肢からまかない情報と共に、各選択欄に表示された時間又は時給などの選択肢を１個以上適宜に選択し、検索することによって、サーバ３０を介して条件の合致した求人情報を求職端末１０に表示させる構成にすることができる。
【００１５】
本発明に係るシステムによれば、求職端末１０から必要かつ十分なまかない情報を得られた求職者は、迅速に希望する店舗を探し出すことができる。求人者にとっても求人端末２０に検索項目に従って入力するだけで必要かつ十分なまかない情報を漏れなく提供することが可能となる。
【００１６】
また、まかない情報を検索項目に入力する都度、該当する件数を表示可能にする構成を設けることにより、求職者は、検索項目を入力する都度、該当する件数を知ることができるから、それ以降の検索項目を入力しなくても検索するに十分な該当求人情報件数が分かり、検索のための入力作業を省力することができる。
【００１７】
また、求職端末１０に応募情報と共に求人情報の保存欄、メールによる応募欄又は応募用電話番号欄を表示してなる構成を設けることにより、求職者は応募情報と共に求人情報を保存して検討することができる。そして、応募する場合にはメールアドレスにより求職者などを特定できると共に、そのままメール又は電話によって応募することができる。
【００１８】
また、求職端末１０に最近見た求人の欄又は保存した求人の欄を選択可能に表示し、選択により出力可能とする構成を設けることにより、既に検索した同じ求人欄を重複して検索することなく、直ちに再出力して検討することができる。
【図面の簡単な説明】
【００１９】
【図１】本発明の一実施形態を示す概略説明図である。
【図２】同実施形態のトップページ画面の一例である。
【図３】同実施形態のまかない費用・種類ページ画面の一例である。
【図４】同実施形態の店舗ページ画面の一例である。
【図５】同実施形態のまかない写真ページ画面の一例である。
【図６】同実施形態の求人ページ画面の一例である。
【発明を実施するための形態】
【００２０】
以下図示する実施例により本発明の実施の形態を説明する。
【実施例１】
【００２１】
図１を参照すると、本発明の求職求人システムは、仕事を希望する求職者によって使用される求職端末１０と、人材を希望する会社等の求人者によって使用される求人端末２０と、求職端末１０と求人端末２０との間で求職・求人の仲介を行う求職求人サーバ３０とを含み、これらはインターネット４０で接続される。なお、インターネット４０はインターネット以外のネットワークで接続してもよい。
【００２２】
求職端末１０は、パーソナルコンピュータ等の情報処理装置や、携帯情報端末や携帯電話機のような携帯可能な情報機器であり、求職求人サーバ３０がインターネット４０上に開設しているウェブページへのアクセスを行うブラウザ１２と、ブラウザ１２が取得したウェブページを表示する表示手段やブラウザ１２から求職求人サーバ３０へ送る情報を入力する入力手段を有する入出力部１１を含んでいる。ウェブページとはインターネットに接続しＵＲＬ（uniform resource locator）によりアクセス可能で、文字や画像等の情報をまとめて記述できる、例えばＨＴＭＬ（hypertext markup language）等の言語で作成された文書であり、ユーザはリンク機能により別の文書を簡単に呼び出すことができる。
【００２３】
求人端末２０は、パーソナルコンピュータ等の情報処理装置等であり、求職求人サーバ３０がインターネット４０上に開設しているウェブページへのアクセスを行うブラウザ２２と、ブラウザ２２が取得したウェブページを表示する表示手段やブラウザ２２から求職求人サーバ３０へ送る情報を入力する入力手段を有する入出力部２１を含んでいる。
【００２４】
図１では、求職端末１０と求人端末２０を１つずつ示しているが接続数を限定するものではなく、インターネット４０に接続される不特定多数の情報処理装置が対象となり、ウェブページで示された画面の操作内容により求職端末１０或いは求人端末２０と見なされる。
【００２５】
求職求人サーバ３０は、パーソナルコンピュータやより高度の性能を持った情報処理装置であり、求職者に関する情報を保持するデータベースである求職ＤＢ３１と、求人に関する情報を保持するデータベースである求人ＤＢ３２と、求職端末１０や求人端末２０との間で情報を交換し各種情報を生成して仕事を仲介するとともに、求職ＤＢ３１や求人ＤＢ３２を管理しインターネット上にウェブページを開設する処理部３３とを含む。
【００２６】
求職ＤＢ３１は、求職者の氏名、年齢、住所連絡先、保有スキル等の個人情報と求職者を識別する識別情報の求職者ＩＤから生成した求職者情報を登録して保持するデータベースである。
【００２７】
求人ＤＢ３２は、求人者の氏名（店舗名）、住所、電話番号、電子メールアドレス等の情報と求人者を識別する求人者ＩＤとからなる求人者情報を登録して保持するデータベースである。さらに、仕事の内容、仕事を行う場所、仕事の期間、要求されるスキル、募集人数、募集期間を含む仕事情報と、求人の募集に対して応募した求職者ＩＤからなる応募情報と、まかない詳細情報も保持する。
【００２８】
いずれかの求職端末１０又は求人端末２０を求職求人サーバ３０に接続すると、図２に記載するようなトップページ５０が現れる。その中で検索項目としてエリア５１（都道府県、市区町、等）、店舗ジャンル５２（和食、洋食、中華、等）、まかない５３、時給５４、雇用形態５５、勤務時間５６、休日・休暇５７、待遇５８等からなる選択欄が表示される。まかない５３を除けば、すべて基本的な勤務態様であり、周知のものである。この選択欄のいずれかの検索項目をクリックするとさらに選択肢欄が表示されるように構成されている。
【００２９】
図２の選択欄５０の中からまかない５３を選択すると、図３に示すような費用欄６０及びジャンル欄６１が表示される。費用欄６０から無料、有料、有料の場合の価格帯が選択可能である。ジャンル欄６１から和食、中華、洋食、焼き肉、寿司、ラーメン、イタリアン等）のまかない料理が選択可能である。
【００３０】
図３のまかない情報５３と図２の他の情報（例えばエリア情報５１、時給情報５４等）１つ以上の選択肢を掛け合わせて検索することにより、図４のような１つ以上の店舗ページ７０にたどり着くことができる。各店舗ページ７０では、店舗名、費用、種類、料理の写真、調理者の選択肢が表示される。
【００３１】
図４の選択肢の中から「店舗」を選択すると、該当エリア内及び該当ジャンルでまかないを提供する店舗名が表示される。「費用」を選択すると、その店舗におけるまかない費用が表示される。「種類」を選択すると、その店舗における料理名が表示される。「写真」を選択すると、その店舗におけるまかない料理の例示写真８０（図５参照）が表示される。「調理者」を選択すると、その店舗においてまかないの調理はだれが担当するのかという情報が表示される。
【００３２】
選択肢表示と同時に該当する求人又は求職情報の件数を表示する構成にすることも可能である。
【００３３】
店舗のまかない情報５３に興味を持った求職者は、図４の店舗ページ７０から図６のような求人ページ９０に案内される。この求人ページ９０では、求人者はあらかじめ必須選択項目又は必須選択肢を指定して求人情報をサーバ３０に登録している。
【００３４】
検索項目の「店舗」欄をクリックすると、会社名、会社住所、会社地図、最寄駅、ホームページ、事業内容、資本金、社員数などを表示させることができる。「給与」欄をクリックすると、「月給○○万円以上、時給○千円以上」等の選択肢が表示される。「雇用形態」欄をクリックすると、「正社員、アルバイト」等の選択肢が表示される。「勤務時間ひ欄をクリックすると、「希望なし、７時間以上、６時間、５時間、４時間」等の時間の選択肢が表示される。「休日・休暇」欄をクリックすると、「月曜日、夏季休暇、冬期休暇」等の選択肢が表示される。「待遇」欄をクリックすると、「雇用・労災保険、厚生年金、料理研修有」等の選択肢が表示される。
【００３５】
なお、上記実施例では、選択欄の検索項目は個々独立に１項目毎に設けてあるが、端末装置の表示欄の大きさを縮小するためと、クリック操作等の選択操作の迅速化のために、２項目を統合して、例えば、勤務時間欄と休日・休暇欄を一欄にすることも可能である。
【００３６】
希望する店舗に応募してみることを決意した求職者は応募ページへ案内される。ここで、メールによる応募・電話による応募欄などの欄が現れ、その中から任意の方法で求職者に連絡することができる。担当部署、担当者、受付時間、担当者からのコメント、面接設定などを表示させておくことが好ましい。
【００３７】
なお、求職端末１０には、最近見た求人欄と保存した求人欄が設けてあり、求職者は応募情報と共に求人情報を保存して検討することができると共に、そのままメール又は電話によって応募することができるようにすることが好ましい。メールで応募する場合には、氏名とメールアドレスにより応募者を特定できるから、求職者がその都度に住所を入力する労力を不要とすることが可能である。
【符号の説明】
【００３８】
１０   求職端末
１１   入出力部
１２   ブラウザ
２０   求人端末
２１   入出力部
２２   ブラウザ
３０   求人求職サーバ
３１  求職データベース
３２  求人データベース
３３   処理部
４０   インターネット
５０   トップページ
５１   エリア
５２   店舗ジャンル
５４   時給
５５   雇用形態
５６   勤務時間
５７   休日・休暇
６０   費用ページ
６１   種類（ジャンル）ページ
７０  店舗ページ
７１  写真ページ
９０  求人ページ 
【図１】
2020134991.tif 000003
【図２】
2020134991.tif 000004
【図３】
2020134991.tif 000005
【図４】
2020134991.tif 000006
【図５】
2020134991.tif 000007
【図６】
2020134991.tif 000008